(57)【要約】【課題】ユーザによるユーザ登録や認証などの手続きが容易なユーザ管理装置、及びユーザ管理方法を提供する。【解決手段】ユーザの所持する物に搭載されている無線タグのＩＤを読み取り、ユーザＩＤとして登録することによってユーザ登録を行う。また、ユーザの所持する物に搭載されている無線タグのＩＤを読み取り、登録されているユーザＩＤと読み取ったＩＤとを照会することによってユーザの承認を行う。  【選択図】  図１
2006085451.tif 000002
【特許請求の範囲】
【請求項１】
無線タグの情報を読み取る無線タグリーダと、
前記無線タグの情報から該無線タグを識別することが可能な識別子を取得するＩＤ情報取得部と、
ユーザを識別するユーザＩＤを記憶する情報登録部と、
前記無線タグの識別子を前記ユーザＩＤとして前記情報登録部に登録する登録処理部と
を具備することを特徴とするユーザ管理装置。
【請求項２】
前記無線タグから取得した識別子と前記情報登録部に登録されているユーザＩＤとを照会して認証を行うＩＤ照会部をさらに具備する
ことを特徴とする請求項１記載のユーザ管理装置。
【請求項３】
無線タグの情報を読み取る無線タグリーダと、
前記無線タグの情報から該無線タグを識別することが可能な識別子を取得するＩＤ情報取得部と、
ユーザを識別するユーザＩＤを記憶する情報登録部と、
前記無線タグから取得した識別子と前記情報登録部に登録されているユーザＩＤとを照会して認証を行うＩＤ照会部と
を具備することを特徴とするユーザ管理装置。
【請求項４】
ユーザを検知するユーザ検知部をさらに具備し、
前記無線タグリーダは、前記ユーザ検知部がユーザを検知すると無線タグの情報の読み取りを行う
ことを特徴とする請求項１乃至３記載のユーザ管理装置。
【請求項５】
ユーザによる操作を受け付ける操作部をさらに具備し、
前記無線タグリーダは、前記操作部でユーザ登録を指示する操作が行われると無線タグの情報の読み取りを行う
ことを特徴とする請求項１乃至３記載のユーザ管理装置。
【請求項６】
前記無線タグリーダは、複数の無線タグから情報を読み取り、
前記登録処理部は、複数の無線タグの識別子を前記ユーザＩＤとして前記情報登録部に登録する
ことを特徴とする請求項１乃至５記載のユーザ管理装置。
【請求項７】
前記ＩＤ情報取得部で識別子を取得した前記無線タグの一覧を表示する表示部と、
前記表示部で表示された前記無線タグの選択を受け付ける操作部と
をさらに具備し、
前記登録処理部は、前記操作部で選択された前記無線タグから取得した識別子をユーザＩＤとして前記情報登録部に登録する
ことを特徴とする請求項１乃至６記載のユーザ管理装置。
【請求項８】
ＵＩを作成するＵＩ作成部をさらに具備し、
前記情報登録部は、ユーザ情報を記憶し、
前記ＵＩ作成部は、ユーザが承認されると該ユーザの前記ユーザ情報に基づいてＵＩを作成する
ことを特徴とする請求項２乃至７記載のユーザ管理装置。
【請求項９】
無線タグリーダで無線タグの情報を読み取り、
前記無線タグの情報から該無線タグを識別することが可能な識別子をＩＤ情報取得部で取得し、
前記無線タグの識別子をユーザＩＤとして情報登録部に登録してユーザ登録を行う
ことを特徴とするユーザ管理方法。
【請求項１０】
前記無線タグから取得した識別子と情報登録部に登録されているユーザＩＤとをＩＤ照会部で照会して認証を行う
ことを特徴とする請求項９記載のユーザ管理方法。
【請求項１１】
無線タグリーダで無線タグの情報を読み取り、
前記無線タグの情報から該無線タグを識別することが可能な識別子をＩＤ情報取得部で取得し、
前記無線タグから取得した識別子と情報登録部に登録されているユーザＩＤとをＩＤ照会部で照会して認証を行う
ことを特徴とするユーザ管理方法。
【請求項１２】
ユーザ検知部でユーザの検知を行い、
ユーザを検知すると前記無線タグリーダで無線タグの情報の読み取りを行う
ことを特徴とする請求項９乃至１１記載のユーザ管理方法。
【請求項１３】
ユーザによる操作を受け付ける操作部をさらに具備し、
前記操作部でユーザ登録を指示する操作が行われると前記無線タグリーダで無線タグの情報読み取りを行う
ことを特徴とする請求項９乃至１１記載のユーザ管理方法。
【請求項１４】
複数の無線タグから前記無線タグリーダで情報の読み取りを行い、
複数の無線タグの識別子を前記ユーザＩＤとして前記情報登録部に登録する
ことを特徴とする請求項９乃至１３記載のユーザ管理方法。
【請求項１５】
前記ＩＤ情報取得部で識別子を取得した前記無線タグの一覧を表示部に表示し、
前記表示部で表示された前記無線タグの選択を操作部で受け付け、
前記操作部で選択された前記無線タグから取得した識別子をユーザＩＤとして前記情報登録部に登録する
ことを特徴とする請求項９乃至１４記載のユーザ管理方法。
【請求項１６】
ユーザ情報を前記情報登録部に登録し、
ユーザが承認されると該ユーザの前記ユーザ情報に基づいてＵＩ作成部でＵＩを作成する
ことを特徴とする請求項１０乃至１５記載のユーザ管理方法。
【発明の詳細な説明】
【技術分野】
【０００１】
本発明は、ユーザ管理装置、及びユーザ管理方法に関し、特に、ユーザに応じて情報を管理することが可能なユーザ管理装置、及びユーザ管理方法に関する。
【背景技術】
【０００２】
コピー機や複合機などでは、ＵＩ(user interface)をユーザに応じてカスタマイズするカスタマイズ機能を有するものがある（例えば、特許文献１参照）。
【０００３】
このカスタマイズ機能は、ユーザを識別する識別子（ユーザＩＤ）の取得や会員カードの発行などのユーザ登録が行われた後、カスタマイズされたＵＩを登録し、その後、ユーザＩＤの入力や会員カードをカードリーダに読み取らせるなどの認証が行われると、カスタマイズされたＵＩを呼び出して表示する。
【特許文献１】特開２００３−２１６７２２号公報
【発明の開示】
【発明が解決しようとする課題】
【０００４】
しかし、このようなユーザ登録や認証などの手続きを行うことが面倒なため、カスタマイズ機能を有していても利用するユーザは少なかった。
【０００５】
そこで本発明では、ユーザによるユーザ登録や認証などの手続きが容易なユーザ管理装置、及びユーザ管理方法を提供することを目的とする。
【課題を解決するための手段】
【０００６】
本発明におけるユーザ管理装置は、無線タグの情報を読み取る無線タグリーダと、前記無線タグの情報から該無線タグを識別することが可能な識別子を取得するＩＤ情報取得部と、ユーザを識別するユーザＩＤを記憶する情報登録部と、前記無線タグの識別子を前記ユーザＩＤとして前記情報登録部に登録する登録処理部とを具備する。
【０００７】
また、前記無線タグから取得した識別子と前記情報登録部に登録されているユーザＩＤとを照会して認証を行うＩＤ照会部をさらに具備する。
【０００８】
また、本発明におけるユーザ管理装置は、無線タグの情報を読み取る無線タグリーダと、前記無線タグの情報から該無線タグを識別することが可能な識別子を取得するＩＤ情報取得部と、ユーザを識別するユーザＩＤを記憶する情報登録部と、前記無線タグから取得した識別子と前記情報登録部に登録されているユーザＩＤとを照会して認証を行うＩＤ照会部とを具備する。
【０００９】
また、ユーザを検知するユーザ検知部をさらに具備し、前記無線タグリーダは、前記ユーザ検知部がユーザを検知すると無線タグの情報の読み取りを行う。
【００１０】
また、ユーザによる操作を受け付ける操作部をさらに具備し、前記無線タグリーダは、前記操作部でユーザ登録を指示する操作が行われると無線タグの情報の読み取りを行う。
【００１１】
また、前記無線タグリーダは、複数の無線タグから情報を読み取り、前記登録処理部は、複数の無線タグの識別子を前記ユーザＩＤとして前記情報登録部に登録する。
【００１２】
また、前記ＩＤ情報取得部で識別子を取得した前記無線タグの一覧を表示する表示部と、前記表示部で表示された前記無線タグの選択を受け付ける操作部とをさらに具備し、前記登録処理部は、前記操作部で選択された前記無線タグから取得した識別子をユーザＩＤとして前記情報登録部に登録する。
【００１３】
また、ＵＩを作成するＵＩ作成部をさらに具備し、前記情報登録部は、ユーザ情報を記憶し、前記ＵＩ作成部は、ユーザが承認されると該ユーザの前記ユーザ情報に基づいてＵＩを作成する。
【００１４】
次に、本発明におけるユーザ管理方法は、無線タグリーダで無線タグの情報を読み取り、前記無線タグの情報から該無線タグを識別することが可能な識別子をＩＤ情報取得部で取得し、前記無線タグの識別子をユーザＩＤとして情報登録部に登録してユーザ登録を行う。
【００１５】
また、前記無線タグから取得した識別子と情報登録部に登録されているユーザＩＤとをＩＤ照会部で照会して認証を行う。
【００１６】
また、本発明におけるユーザ管理方法は、無線タグリーダで無線タグの情報を読み取り、前記無線タグの情報から該無線タグを識別することが可能な識別子をＩＤ情報取得部で取得し、前記無線タグから取得した識別子と情報登録部に登録されているユーザＩＤとをＩＤ照会部で照会して認証を行う。
【００１７】
また、ユーザ検知部でユーザの検知を行い、ユーザを検知すると前記無線タグリーダで無線タグの情報の読み取りを行う。
【００１８】
また、ユーザによる操作を受け付ける操作部をさらに具備し、前記操作部でユーザ登録を指示する操作が行われると前記無線タグリーダで無線タグの情報読み取りを行う。
【００１９】
また、複数の無線タグから前記無線タグリーダで情報の読み取りを行い、複数の無線タグの識別子を前記ユーザＩＤとして前記情報登録部に登録する。
【００２０】
また、前記ＩＤ情報取得部で識別子を取得した前記無線タグの一覧を表示部に表示し、前記表示部で表示された前記無線タグの選択を操作部で受け付け、前記操作部で選択された前記無線タグから取得した識別子をユーザＩＤとして前記情報登録部に登録する。
【００２１】
また、ユーザ情報を前記情報登録部に登録し、ユーザが承認されると該ユーザの前記ユーザ情報に基づいてＵＩ作成部でＵＩを作成する。
【発明の効果】
【００２２】
本発明では、ユーザ登録や認証といった手続きにおけるユーザの操作を簡略化することが可能となる。
【発明を実施するための最良の形態】
【００２３】
以下、本発明に係るユーザ管理装置、及びユーザ管理方法を実施するための最良の形態について、添付図面を参照して詳細に説明する。
【実施例１】
【００２４】
図１は、本発明に係るユーザ管理装置の構成の一例を示す機能ブロック図であり、同図に示すように、本発明に係るユーザ管理装置１０には、無線タグリーダ２０と、情報処理部３０と、表示部４０と、ユーザ検知部５０と、操作部６０とが設けられている。
【００２５】
無線タグリーダ２０は、ＲＦＩＤ(Radio Frequency Identification)タグなどの無線タグに記録されている情報を読み取るリーダである。
【００２６】
情報処理部３０には、ＩＤ情報取得部３１と、情報登録部３２と、ＩＤ照会部３３と、ＵＩ作成部３４と、登録処理部３５とが設けられており、ユーザ登録や認証などの処理を行なう。
【００２７】
ここで、ＩＤ情報取得部３１は、無線タグリーダ３１で読み取ったタグの情報から当該タグを識別することが可能な情報（ＩＤ）を取得する。
【００２８】
情報登録部３２は、ハードディスクなどの記憶装置であり、ＩＤ情報取得部３１で取得した無線タグのＩＤをユーザＩＤとして登録する。また、ＵＩをカスタマイズするためのユーザ情報をユーザＩＤに関連付けて登録する。
【００２９】
ＩＤ照会部３３は、ＩＤ情報取得部３１で取得したＩＤと情報登録部３２に登録されているＩＤとの照会を行い、ＩＤ情報取得部３１で取得したＩＤを全て含むユーザＩＤを検出すると当該ユーザＩＤのユーザであると認証する。認証方式の設定によっては一部のＩＤでも含めば当該ユーザであると認めることもできる。
【００３０】
ＵＩ作成部３４は、表示部で表示するＵＩを作成する。また、ユーザが認証されると、当該ユーザのユーザＩＤに関連付けて登録されているユーザ情報を情報登録部３２から取得し、このユーザ情報に基づいてＵＩを作成する。
【００３１】
登録処理部３５は、ＩＤ情報取得部３１で取得したＩＤをユーザＩＤとして情報登録部３２に登録する。また、ユーザ情報をユーザＩＤに関連付けて情報登録部３２に登録する。
【００３２】
表示部４０は、ディスプレイなどの表示端末であり、ＵＩ作成部３４で作成されたＵＩなどを表示する。
【００３３】
ユーザ検知部５０は、対人センサなどの検知器であり、例えば、表示部４０の前など所定の領域に人（ユーザ）が存在するか否かの検知を行う。
【００３４】
操作部６０は、タッチパネルや特定の機能が割り当てられたキーなどの操作端末であり、ユーザによる操作や指示を受け付ける。
【００３５】
なお、図１におけるＩＤ取得部３１、ＩＤ照会部３３、登録処理部３５は、ソフトウェアなどによって実現される。
【００３６】
上記構成を用いて、本実施例におけるユーザ管理装置は、ユーザが表示部前などの所定の領域内に入ると、ユーザが所持している（身に付けている）物、例えば、メガネや時計、制服、社員証などに搭載されている無線タグの情報を読み取ってＩＤを取得し、ユーザの認証を行う。
【００３７】
また、認証されていないユーザが特定の操作を行うと、ユーザが所持している物に搭載されている無線タグの情報を読み取ってＩＤを取得し、ユーザ登録を行う。
【００３８】
図２は、本実施例におけるユーザの認証を行う際の処理の流れを示すフローチャートである。
【００３９】
まず、ユーザを検知する（ステップ１００）と、無線タグの情報を読み取り（ステップ１０１）、無線タグのＩＤを取得する（ステップ１０２）。
【００４０】
そして、登録されているユーザＩＤと無線タグから取得したＩＤとを照会し（ステップ１０３）、無線タグから取得したＩＤを全て含むユーザＩＤを検出すると、当該ユーザＩＤのユーザであると認証し（ステップ１０３でＹＥＳ）ユーザＩＤに関連付けて登録されているユーザ情報に基づいてカスタマイズしたＵＩを作成し（ステップ１０４）、表示部にＵＩを表示する（ステップ１０５）。認証方式の設定によっては一部のＩＤでも含めば当該ユーザであると認めることもできる。
【００４１】
一方、無線タグから取得したＩＤが検出されず、ユーザを認証できない（ステップ１０３でＮＯ）と、デフォルトのＵＩを作成し（ステップ１０６）、表示部にＵＩを表示する（ステップ１０５）。
【００４２】
図３は、本実施例におけるユーザ登録を行う際の処理の流れの一例を示すフローチャートである。
【００４３】
まず、コピー機における倍率の選択や複合機におけるサービスの選択、スキャンサービス時の解像度の選択やファクシミリサービス時の電話番号入力など、サービスを利用するための設定入力がユーザが承認されずに開始される（ステップ２００）と、登録指示として検出し（ステップ２０１）、所定の範囲内に存在する無線タグの情報の読み取りを行い（ステップ２０２）、無線タグのＩＤを取得する（ステップ２０３）と、取得したＩＤをユーザＩＤとして登録する（ステップ２０４）。
【００４４】
なお、本実施例では、サービスを利用するための設定が開始されると、登録指示が行われたとしてユーザ登録を行っているが、例えば、コピー機や複合機などで原稿の読み取り開始を指示するスタートボタンの押し下げや、複合機におけるサービスの選択など、他の通常の動作を登録指示として検出してもよく、デフォルトのＵＩなどに、ユーザ登録を指示するキーを設け、ユーザ登録の指示をユーザから直接受けてもよい。
【００４５】
また、ユーザが認証されると、ユーザ情報を検出してカスタマイズされたＵＩを表示しているが、ユーザ毎に課金を行ったり、利用可能／不可能な機能を設定するなど、ユーザに応じた処理や設定を行うように構成してもよい。
【００４６】
さらに、本実施例では、ユーザが所定の領域に現れると、センサなどのユーザ検知部でユーザを検出して認証を開始しているが、例えば、操作端末などに触れることでユーザを検知し、認証手続きを開始してもよい。
【００４７】
加えて、ユーザＩＤとしてＩＤを登録する無線タグの数は１つでもよいが、複数の無線タグのＩＤを登録することが好ましい。
【００４８】
このように本実施例では、ユーザが複合機の前に立つなどの通常の動作（操作）で認証が行われるため、ユーザによる認証手続きを簡略化することができる。
【００４９】
また、サービスを利用する際の設定を行うなどの通常の動作（操作）で認証が行われるため、ユーザによるユーザ登録の手続きを簡略化することができる。
【００５０】
加えて、複数の無線タグのＩＤを登録することにより、ユーザの認証精度を向上させ、セキュリティの強度を上げることができる。
【００５１】
ところで、本実施例では、ユーザが何らかの操作を行った際にユーザ登録を行っているが、ユーザが認証されない場合にそのままユーザ登録を行ってもよく、以下、実施例２を用いて詳細に説明する。
【実施例２】
【００５２】
図４は、本実施例におけるユーザ登録及び認証を行う際の処理の流れを示すフローチャートである。
【００５３】
まず、ユーザを検知する（ステップ３００）と、無線タグの情報を読み取り（ステップ３０１）、無線タグのＩＤを取得する（ステップ３０２）。
【００５４】
そして、登録されているユーザＩＤと無線タグから取得したＩＤとを照会し（ステップ３０３）、無線タグから取得したＩＤを全て含むユーザＩＤを検出すると、当該ユーザＩＤのユーザであると認証し（ステップ３０３でＹＥＳ）ユーザＩＤに関連付けて登録されているユーザ情報に基づいてカスタマイズしたＵＩを作成し（ステップ３０４）、表示部にＵＩを表示する（ステップ３０５）。認証方式の設定によっては一部のＩＤでも含めば当該ユーザであると認めることもできる。
【００５５】
一方、無線タグから取得したＩＤが検出されず、ユーザを認証できない（ステップ３０３でＮＯ）と、新規のユーザとして無線タグから取得したＩＤをユーザＩＤとして登録する（ステップ３０６）。
【００５６】
そして、デフォルトのＵＩを作成し（ステップ３０７）、表示部にＵＩを表示する（ステップ３０５）。
【００５７】
なお、本実施例では、ユーザが所定の領域に現れると、センサなどのユーザ検知部でユーザを検出して認証を開始しているが、例えば、操作端末などに触れることでユーザを検知し、認証手続きを開始してもよい。
【００５８】
このように本実施例では、ユーザが複合機の前などに立つことで認証が行われ、カスタマイズされてＵＩを表示し、認証できない場合はユーザ登録が行われるため、ユーザによる登録や認証の手続きを簡略化することができる。
【００５９】
実施例１、２では、無線タグリーダで読み取った無線タグのＩＤをそのままユーザＩＤとしているが、ユーザＩＤとして登録する無線タグをユーザが選択してもよく、以下、実施例３を用いて詳細に説明する。
【実施例３】
【００６０】
本実施例に係るユーザ管理装置では、登録処理部３５において、無線タグを一覧表示するためのＵＩの作成をＵＩ作成部３４に指示し、また、ユーザが選択した無線タグのＩＤをユーザＩＤとして登録する点を除き、図１で示したユーザ管理装置と同様である。
【００６１】
図５は、本実施例におけるユーザ登録を行う際の処理の流れを示すフローチャートである。
【００６２】
まず、サービスを利用するための設定入力が開始される（ステップ４００）と、登録指示として検出し（ステップ４０１）所定の範囲内に存在する無線タグの情報を読み取り（ステップ４０２）、無線タグのＩＤを取得する（ステップ４０３）。
【００６３】
そして、ＩＤを取得した無線タグの一覧を表示するＵＩを作成・表示し（ステップ４０４）、ユーザＩＤとして登録する無線タグが選択される（ステップ４０５でＹＥＳ）と、選択された無線タグのＩＤをユーザＩＤとしてユーザ登録を行う（ステップ４０６）。
【００６４】
一方、ユーザＩＤとして登録する無線タグが選択されずに登録が指示される（例えば、ＵＩの「登録」ボタンが押されるなど)（ステップ４０５でＮＯ）と、一覧表示した全ての無線タグのＩＤをユーザＩＤとしてユーザ登録を行う（ステップ４０７）。
【００６５】
なお、無線タグの一覧表示は、例えば、「物品名、ブランド名、製品名」など、何に搭載されている無線タグであるかをユーザが容易に認識することができる形式で表示されることが好ましい。
【００６６】
また、無線タグの一覧を表示した後、ユーザによる選択を受け付けることなくユーザＩＤとして登録してもよい。
【００６７】
このように本実施例では、ユーザＩＤとして登録された無線タグを確認することができるため、服装や所持品が変化することによる承認拒否を防止することができる。
【００６８】
また、無線タグを選択することにより、服の無線タグをユーザＩＤに含めないなど、常時所持していない物の無線タグがユーザＩＤとなることを防止することができる。
【図面の簡単な説明】
【００６９】
【図１】本発明に係るユーザ管理装置の構成の一例を示す機能ブロック図
【図２】実施例１におけるユーザの認証を行う際の処理の流れを示すフローチャート
【図３】実施例１におけるユーザ登録を行う際の処理の流れの一例を示すフローチャート
【図４】実施例２におけるユーザ登録及び認証を行う際の処理の流れを示すフローチャート
【図５】実施例３におけるユーザ登録を行う際の処理の流れを示すフローチャート
【符号の説明】
【００７０】
１０…ユーザ管理装置
２０…無線タグリーダ
３０…情報処理部
３１…ＩＤ情報取得部
３２…情報登録部
３３…ＩＤ照会部
３４…ＵＩ作成部
３５…登録処理部
４０…表示部
５０…ユーザ検知部
６０…操作部
【図１】
2006085451.tif 000003
【図２】
2006085451.tif 000004
【図３】
2006085451.tif 000005
【図４】
2006085451.tif 000006
【図５】
2006085451.tif 000007